(57)【要約】【課題】匙状爪を、容易且つ適切に矯正可能とする。【解決手段】一つの指Ｆの指先Ｆａ側の受入空間１０を備えたフレーム体１と、前記フレーム体１の内側において前記指Ｆの爪Ｎの右端側Ｎｃに当接される当接部５を有すると共に、前記フレーム体１の右側に螺進退可能に支持されてこの螺進退によって前記当接部５を移動させる右側押圧体２と、前記フレーム体１の内側において前記指Ｆの爪Ｎの左端側Ｎｃに当接される当接部５を有すると共に、前記フレーム体１の左側に螺進退可能に支持されてこの螺進退によって前記当接部５を移動させる左側押圧体３とを備えてなる。【選択図】図１
2015054161.tif 000002
【特許請求の範囲】
【請求項１】
一つの指の指先側の受入空間を備えたフレーム体と、
前記フレーム体の内側において前記指の爪の右端側に当接される当接部を有すると共に、前記フレーム体の右側に螺進退可能に支持されてこの螺進退によって前記当接部を移動させる右側押圧体と、
前記フレーム体の内側において前記指の爪の左端側に当接される当接部を有すると共に、前記フレーム体の左側に螺進退可能に支持されてこの螺進退によって前記当接部を移動させる左側押圧体とを備えてなることを特徴とする爪矯正具。
【請求項２】
フレーム体の内側において指の爪の先端側に当接される当接部を有すると共に、前記フレーム体の上側に螺進退可能に支持されてこの螺進退によって前記当接部を移動させる上側押圧体を備えてなることを特徴とする請求項１に記載の爪矯正具。
【発明の詳細な説明】
【技術分野】
【０００１】
この発明は、いわゆる匙状爪の矯正具に関する。
【背景技術】
【０００２】
変形爪の代表的なものとして巻き爪があり、これは爪の左右両側を内側にまるめるような態様である。これとは逆の態様をとる変形爪として匙状爪（スプーン爪などとも称される。）がある。匙状爪は、爪の左右両側、及び、先端側が中央側より上方に位置するように反り返った態様である。
【発明の概要】
【発明が解決しようとする課題】
【０００３】
この発明が解決しようとする主たる問題点は、匙状爪を、容易且つ適切に矯正可能とする点にある。具体的には、矯正すべき爪のある指の種類や太さ、爪の変形の程度に合わせて、かかる爪にかかる変形を矯正するための外力を適切な方向から適切な大きさで安定的且つ継続的に作用できるようにする点にある。
【課題を解決するための手段】
【０００４】
前記課題を達成するために、この発明にあっては、爪矯正具を、一つの指の指先側の受入空間を備えたフレーム体と、
前記フレーム体の内側において前記指の爪の右端側に当接される当接部を有すると共に、前記フレーム体の右側に螺進退可能に支持されてこの螺進退によって前記当接部を移動させる右側押圧体と、
前記フレーム体の内側において前記指の爪の左端側に当接される当接部を有すると共に、前記フレーム体の左側に螺進退可能に支持されてこの螺進退によって前記当接部を移動させる左側押圧体とを備えてなるものとした。
【０００５】
フレーム体の受入空間内に矯正すべき爪のある指の指先側を導入させた状態から、右側押圧体及び左側押圧体の双方又はいずれか一方を螺進させることで、右側押圧体の当接部と左側押圧体の当接部との間で左右から爪を挟み込むことができる。そして、この挟み込みにより、爪の右端側及び左端側の双方又はいずれか一方が爪の中央側より上方に位置するように変形した爪にかかる変形を矯正する向きの外力を作用させることができる。矯正すべき爪のある指の種類や太さ、爪の変形の程度に合わせて、右側押圧体及び左側押圧体の螺進量を調整することで、前記変形を矯正するための外力を適切な方向から適切な大きさでかかる爪に安定的且つ継続的に作用させることができる。
【０００６】
かかる爪矯正具がさらに、前記フレーム体の内側において前記指の爪の先端側に当接される当接部を有すると共に、前記フレーム体の上側に螺進退可能に支持されてこの螺進退によって前記当接部を移動させる上側押圧体を備えたものとしておけば、爪の先端側が中央側より上方に位置するような変形も同時に矯正することが可能となる。
【発明の効果】
【０００７】
この発明によれば、矯正すべき爪のある指の種類や太さ、爪の変形の程度に合わせて、かかる爪にかかる変形を矯正するための外力を適切な方向から適切な大きさで安定的且つ継続的に作用させることができ、いわゆる匙状爪の短時間での矯正が可能となる。
【図面の簡単な説明】
【０００８】
【図１】図１はこの発明の実施の形態にかかる爪矯正具（第一例）の正面図である。
【図２】図２は図１におけるＡ−Ａ線位置での断面図である。
【図３】図３はこの発明の実施の形態にかかる爪矯正具の他の構成例（第二例）を示した正面図である。
【発明を実施するための形態】
【０００９】
以下、図１〜図３に基づいて、この発明の典型的な実施の形態について、説明する。この実施の形態にかかる爪矯正具は、いわゆる匙状爪を短時間で矯正可能とするものである。
【００１０】
典型的には、爪Ｎが匙状爪となっている指Ｆの指先Ｆａ側を矯正具を構成する後述のフレーム体１の受入空間１０に導入した状態から、後述の右側押圧体２及び左側押圧体３の双方又はいずれか一方を螺進させることで、この右側押圧体２の当接部５と左側押圧体３の当接部５との間で左右から爪Ｎを挟み込む。典型的には、匙状爪が所望のアーチ型の爪Ｎの形状となるように前記螺進量を調整する。かかる爪Ｎの先端側Ｎａ（爪先側）にこの先端側Ｎａを中央側Ｎｂより上方に位置させる変形がある場合には後述の上側押圧体４をさらに螺進させ、爪Ｎの先端側Ｎａに当接されるこの上側押圧体４の当接部５とフレーム体１の下部１１との間で指Ｆを挟み込む。このように指Ｆに矯正具を装着させた状態から爪Ｎを一定時間温める。例えば、装着具を装着させた状態で、その手あるいは足を湯に漬けるなどして１５分程度加温し、この後、ドライヤーなどで矯正対象となっている爪Ｎを加温乾燥させる。かかる加温により爪Ｎは軟化し変形が解かれ易くなり、この後の乾燥により爪Ｎは硬化し変形が解かれた後の形状、つまり正常な爪Ｎの形状を保つようになる。
【００１１】
矯正具は、フレーム体１と、右側押圧体２と、左側押圧体３とを備えている。この実施の形態では、さらに、矯正具は、上側押圧体４を備えている。
【００１２】
フレーム体１は、一つの指Ｆの指先Ｆａ側の受入空間１０を備えている。フレーム体１は、左右方向に長い下部１１と、左右方向に長い上部１２と、下部１１の右端と上部１２の右端とを連接させる右側部１３と、下部１１の左端と上部１２の左端とを連接させる左側部１４とをそなえ、この下部１１、上部１２、右側部１３及び左側部１４に囲繞された空間を、前記受入空間１０としている。
【００１３】
図示の例では、フレーム体１は、これを正面から見た状態において、その外郭形状をハート形状とするように構成されている。すなわち、図示の例では、下部１１の左右方向中程の位置と、上部１２の左右方向中程の位置とを結ぶ、仮想の中心線ｘ上において、下部１１の外側には下方に突き出す頂部１１ａが形成され、上部１２の内側には下方に突き出す頂部１２ａが形成され、上部１２の外側には凹所１２ｂが形成されている。
【００１４】
下部１１の内側は、すなわち、下部１１における前記受入空間１０に臨んだ側は、前記仮想の中心線ｘに実質的に直交する面を持つように構成されている。
【００１５】
また、図示の例では、上部１２の前後寸法に対し、下部１１の前後寸法の方が大きくなっている一方で、正面側においては上部１２の前面１２ｃと下部１１の前面１１ｂとは面一であり、したがって、背面側においては右側部１３と左側部１４とは下部１１に近づくに連れて前後寸法を漸増させるように構成されている。
【００１６】
フレーム体１の右側部１３であって、下部１１との連接側には、この右側部１３を内外に貫通する雌ネジ孔１３ａが形成されている。また、フレーム体１の左側部１４であって、下部１１との連接側には、この左側部１４を内外に貫通する雌ネジ孔１４ａが形成されている。また、フレーム体１の上部１２には、前記仮想の中心線ｘに沿って、この上部１２を内外に貫通する雌ネジ孔１２ｄが形成されている。
【００１７】
右側押圧体２は、前記フレーム体１の内側において前記指Ｆの爪Ｎの右端側Ｎｃに当接される当接部５を有すると共に、前記フレーム体１の右側に螺進退可能に支持されてこの螺進退によって前記当接部５を左右方向に移動させるようになっている。
【００１８】
また、左側押圧体３は、前記フレーム体１の内側において前記指Ｆの爪Ｎの左端側Ｎｃに当接される当接部５を有すると共に、前記フレーム体１の左側に螺進退可能に支持されてこの螺進退によって前記当接部５を左右方向に移動させるようになっている。
【００１９】
また、上側押圧体４は、フレーム体１の内側において指Ｆの爪Ｎの先端側Ｎａに当接される当接部５を有すると共に、前記フレーム体１の上側に螺進退可能に支持されてこの螺進退によって前記当接部５を上下方向に移動させるようになっている。
【００２０】
図示の例では、いずれの押圧体２、３、４も、外周に雄ネジ部を備えた軸体６の内端（受入空間１０内に位置される端）に当接部５を備え、かつ、これと反対の外端に摘み部７を備えている。
【００２１】
当接部５は、爪Ｎ及び指Ｆに当たることから、プラスチックやゴムなどの金属でない材料により構成することが好ましい。図示の例では、当接部５は、一面を爪Ｎ及び指Ｆに対する当接面とした板状部５ａと、この板状部５ａの当接面と反対の背面に筒一端を一体に接合させると共に筒他端側から内部に前記軸体６の内端を受け入れこれに固着された筒状部５ｂとを備えている。
【００２２】
右側押圧体２を構成する軸体６は、右側部１３の雌ネジ孔１３ａに螺合され、その摘み部を使ってフレーム体１の外側から捻回操作することで、図示の例では当接部５を前記仮想の中心線ｘに直交する向きに移動させるようになっている。
【００２３】
また、左側押圧体３を構成する軸体６は、左側部１４の雌ネジ孔１４ａに螺合され、その摘み部を使ってフレーム体１の外側から捻回操作することで、図示の例では当接部５を前記仮想の中心線ｘに直交する向きに移動させるようになっている。
【００２４】
また、上側押圧体４を構成する軸体６は、上部１２の雌ネジ孔１２ｄに螺合され、その摘み部を使ってフレーム体１の外側から捻回操作することで、図示の例では当接部５を前記仮想の中心線ｘに沿った向きに移動させるようになっている。
【００２５】
フレーム体１の受入空間１０内に矯正すべき爪Ｎのある指Ｆの指先Ｆａ側を導入させた状態から、右側押圧体２及び左側押圧体３の双方又はいずれか一方を螺進させることで、右側押圧体２の当接部５と左側押圧体３の当接部５との間で左右から爪Ｎを挟み込むことができる。そして、この挟み込みにより、爪Ｎの右端側Ｎｃ及び左端側Ｎｃの双方又はいずれか一方が爪Ｎの中央側Ｎｂより上方に位置するように変形した爪Ｎにかかる変形を矯正する向きの外力を作用させることができる。矯正すべき爪Ｎのある指Ｆの種類や太さ、爪Ｎの変形の程度に合わせて、右側押圧体２及び左側押圧体３の螺進量を調整することで、前記変形を矯正するための外力を適切な方向から適切な大きさでかかる爪Ｎに安定的且つ継続的に作用させることができる。
【００２６】
この実施の形態にあっては、爪Ｎ矯正具はさらに前記上側押圧体４を備えていることから、爪Ｎの先端側Ｎａが中央側Ｎｂより上方に位置するような変形も同時に矯正することが可能となる。
【００２７】
爪Ｎ矯正具は、図３示されるように、フレーム体１と右側押圧体２と左側押圧体４との三点から構成させておくこともできる。この図３に示される例では、右側押圧部体２び左側押圧体３はそれぞれ、前記仮想の中心線ｘに対し下部１１の側に鈍角を形成するように斜めに交叉する仮想の線分ｙに沿って移動し、右側押圧体３は爪Ｎの右端側Ｎｃに斜め上から当接部５を当接させ、左側押圧体は爪Ｎの左端側Ｎｃに斜め上から当接部５を当接させるようになっている。
【００２８】
なお、当然のことながら、本発明は以上に説明した実施態様に限定されるものではなく、本発明の目的を達成し得るすべての実施態様を含むものである。
【符号の説明】
【００２９】
Ｆ  指
Ｆａ  指先
Ｎ  爪
Ｎｃ  端側
１  フレーム体
１０  受入空間
２  右側押圧体
３  左側押圧体
５  当接部
【図１】
2015054161.tif 000003
【図２】
2015054161.tif 000004
【図３】
2015054161.tif 000005